(57)【要約】【課題】ユーザの負担を軽減すること。【解決手段】本発明にかかる中継装置は、移動通信ネットワーク３０と通信端末２０との間の通信を中継する中継装置１０であって、移動通信ネットワーク３０に接続するための加入者識別カード１１ａを装着する加入者識別カード装着部１１と、通信端末２０の識別情報と加入者識別カード１１ａに設定された個人認証コードとを関連付けて記憶する端末情報記憶部１３と、通信端末２０から通信フレームを受信する通信部１２と、通信端末から通信フレーム内の識別情報と記憶された識別情報とが一致した場合、記憶された個人認証コードを用いて加入者識別カード１１ａのロックを解除し、移動通信ネットワーク３０に接続可能とするロック解除部１４と、を備えるものである。【選択図】図１
2018074189.tif 000002
【特許請求の範囲】
【請求項１】
移動通信ネットワークと通信端末との間の通信を中継する中継装置であって、
前記移動通信ネットワークに接続するための加入者識別カードを装着する加入者識別カード装着部と、
前記通信端末の識別情報と前記加入者識別カードに設定された個人認証コードとを関連付けて記憶する端末情報記憶部と、
前記通信端末から通信フレームを受信する通信部と、
前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするロック解除部と、
を備える、中継装置。
【請求項２】
前記通信部は、
前記通信端末から、前記通信端末の利用者が登録する個人認証コードと、前記通信端末の利用者が登録する前記通信端末の識別情報と、をさらに受信し、
受信した前記個人認証コードと、前記加入者識別カードに予め設定された個人認証コードと、が一致する場合、受信した前記個人認証コードと、受信した前記通信端末の前記識別情報と、を関連付けて登録する、
請求項１に記載の中継装置。
【請求項３】
前記通信部は、
前記通信端末から接続設定を行うための接続設定用の通信フレームをさらに受信し、
前記接続設定用の通信フレームに基づいて、
前記通信端末の認証情報と、前記個人認証コードと、を設定するＷＥＢ設定ページを前記通信端末に送信するＷＥＢ設定部をさらに備える、
請求項１又は２に記載の中継装置。
【請求項４】
前記接続設定用の通信フレームは、
Ｐｒｏｂｅ  Ｒｅｑｕｅｓｔであって、
前記通信部は、
Ｐｒｏｂｅ  ＲｅｑｕｅｓｔのＳＳＩＤが自装置に設定されたＳＳＩＤと一致する場合、Ｓｏｕｒｃｅ  ａｄｄｒｅｓｓから前記通信端末の識別情報を取得する、
請求項３に記載の中継装置。
【請求項５】
前記通信部は、
前記ロック解除部が前記加入者識別カードのロックを解除した場合、前記通信端末からの通信パケットを前記移動通信ネットワークに中継する、
請求項１乃至４のいずれか１項に記載の中継装置。
【請求項６】
通信端末と、
移動通信ネットワークと前記通信端末との間の通信を中継する中継装置と、
を備える通信システムであって、
前記中継装置は、
前記移動通信ネットワークに接続するための加入者識別カードを装着する加入者識別カード装着部と、
前記通信端末の識別情報と前記加入者識別カードに設定された個人認証コードとを関連付けて記憶する端末情報記憶部と、
前記通信端末から通信フレームを受信する通信部と、
前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするロック解除部と、
を備える、
通信システム。
【請求項７】
移動通信ネットワークと通信端末との間の通信を中継する中継装置において実行される通信方法であって、
前記移動通信ネットワークに接続するための加入者識別カードを装着し、
前記通信端末の識別情報と前記加入者識別カードに設定された個人認証コードとを関連付けて記憶し、
前記通信端末から通信フレームを受信し、
前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とする、
通信方法。
【請求項８】
移動通信ネットワークと通信端末との間の通信を中継する中継装置が実行する通信プログラムであって、
前記移動通信ネットワークに接続するための加入者識別カードを装着するステップと、
前記通信端末の識別情報と前記加入者識別カードに設定された個人認証コードとを関連付けて記憶するステップと、
前記通信端末から通信フレームを受信するステップと、
前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするステップと、
を中継装置が実行する通信プログラム。
【発明の詳細な説明】
【技術分野】
【０００１】
本発明は中継装置、通信システム、通信方法および通信プログラムに関する。
【背景技術】
【０００２】
近年、通信端末と移動通信ネットワーク（モバイルネットワーク）との間における通信を中継する装置として、例えば、モバイルルータ等が用いられている。例えば、直接モバイルネットワークに接続できない通信端末であっても、モバイルルータ等の中継装置を用いることで、ＬＴＥ（Long Term Evolution）や３Ｇ等のモバイルネットワーク回線に接続することが出来る。つまり、中継装置は、通信端末とモバイルネットワークとの通信を中継することを可能とし、通信端末がモバイルネットワークとの通信を可能とする。その結果、中継装置を用いることで、通信端末の利用者は、モバイルネットワークを利用した通信が可能となる。
【０００３】
例えば、ＬＴＥや３Ｇ等のモバイルネットワーク回線を利用して通信を行う場合、通信装置に、ＵＩＭ（User Identity Module）カードを装着する必要がある。ＵＩＭカードには、第三者による無断使用を防止するための仕組みの１つとして、ＰＩＮ（Personal Identity Number）コードによる認証機能がある。この機能は、ＵＩＭカードに予め設定されたＰＩＮコードを通信端末の利用者が入力することにより、ＵＩＭカードと通信端末の利用者との認証を行うための機能である。通信端末の利用者は、ＵＩＭカードとの認証を正常に完了すると、例えば、ＬＴＥや３Ｇ等のモバイルネットワーク回線を用いた通信を行うことが可能となる。そのため、ＵＩＭカードのＰＩＮコードの認証機能を用いることで、ＵＩＭカードのＰＩＮコードを知らない第三者によるＵＩＭカードの不正利用を防止することが可能となる。
【０００４】
ＵＩＭカードのＰＩＮコードを用いた認証に関連する技術として、例えば、特許文献１および２が開示されている。特許文献１では、ＵＩＭカードを挿入する際、ＵＩＭカードに予め設定されるＩＭＳＩ（International Mobile Subscriber Identity）が、当該ＵＩＭカードを挿入された通信端末が保持しているＩＭＳＩと一致している場合、ＰＩＮコードを入力することなく、ＵＩＭカードとのＰＩＮコードによる認証を行う装置が開示されている。
【先行技術文献】
【特許文献】
【０００５】
【特許文献１】特開平６−２１６８４２号公報
【特許文献２】特許４２９１８２８号公報
【発明の概要】
【発明が解決しようとする課題】
【０００６】
ここで、例えば、モバイルルータ等の中継装置は、通信を行うときにだけ電源を入れ、通信を行わない場合は電源を落としていることが多い。そして、利用者が、中継装置の電源を入れた後、実際に通信を行わずに、再度電源を落とすことも考え得る。このような場合でも、利用者は中継装置の電源を入れる毎に、ＵＩＭカードのＰＩＮコードを入力する必要が生じることから、利用者は煩わしい操作を強いられるという問題が生じる。
【０００７】
本発明はこのような問題を解決するためになされたものであり、ユーザの負担を軽減することが可能な中継装置、通信システム、通信方法および通信プログラムを提供することを目的とする。
【課題を解決するための手段】
【０００８】
本発明にかかる中継装置は、移動通信ネットワークと通信端末との間の通信を中継する中継装置であって、前記移動通信ネットワークに接続するための加入者識別カードを装着する加入者識別カード装着部と、前記通信端末の識別情報と前記加入者識別カードに設定された個人認証コードとを関連付けて記憶する端末情報記憶部と、前記通信端末から通信フレームを受信する通信部と、前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするロック解除部と、を備えるものである。
【０００９】
本発明にかかる通信システムは、通信端末と、移動通信ネットワークと前記通信端末との間の通信を中継する中継装置と、を備える通信システムであって、前記中継装置は、前記移動通信ネットワークに接続するための加入者識別カードを装着する加入者識別カード装着部と、前記通信端末の識別情報と前記加入者識別カードに設定された個人認証コードとを関連付けて記憶する端末情報記憶部と、前記通信端末から通信フレームを受信する通信部と、前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするロック解除部と、を備えるものである。
【００１０】
本発明にかかる通信方法は、移動通信ネットワークと通信端末との間の通信を中継する中継装置において実行される通信方法であって、前記移動通信ネットワークに接続するための加入者識別カードを装着し、前記通信端末の識別情報と前記加入者識別カードに設定された個人認証コードとを関連付けて記憶し、前記通信端末から通信フレームを受信し、前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするものである。
【００１１】
本発明にかかる通信プログラムは、移動通信ネットワークと通信端末との間の通信を中継する中継装置が実行する通信プログラムであって、前記移動通信ネットワークに接続するための加入者識別カードを装着するステップと、前記通信端末の識別情報と前記加入者識別カードに設定された個人認証コードとを関連付けて記憶するステップと、前記通信端末から通信フレームを受信するステップと、前記通信端末から前記通信フレーム内の識別情報と前記記憶された識別情報とが一致した場合、前記記憶された個人認証コードを用いて前記加入者識別カードのロックを解除し、前記移動通信ネットワークに接続可能とするステップと、を中継装置が実行するものである。
【発明の効果】
【００１２】
本発明によれば、ユーザの負担を軽減することが可能な中継装置、通信システム、通信方法および通信プログラムを提供することが出来る。
【図面の簡単な説明】
【００１３】
【図１】実施の形態１にかかる通信システムの構成を示す構成図である。
【図２】実施の形態１にかかる通信システムの動作を表す概略図である。
【図３】実施の形態２にかかる通信システムの構成を示す構成図である。
【図４】ＷＥＢ設定ページを表す概略図である。
【図５】実施の形態２にかかる通信システムにおける通信端末のＭＡＣアドレスを登録する際のシーケンス図である。
【図６】ＵＩＭカードに予め設定されたＰＩＮコードを解除する動作を表すシーケンス図である。
【図７】通信端末と中継装置とが無線ＬＡＮによる通信を行う場合の通信フレームの一例を表す概略図である。
【発明を実施するための形態】
【００１４】
（実施の形態１）
以下、図面を参照して本発明の実施の形態１について説明する。図１は、実施の形態１にかかる通信システム１の構成を示している。図１に示す様に、本実施の形態にかかる通信システム１は、中継装置１０と、通信端末２０と、移動通信ネットワーク３０と、を備える。なお、図１に示す通信端末２０は、説明をする上で便宜的に１台として記載をするが、通信端末２０は複数台であっても良い。この場合、当然ながら、中継装置１０は、複数の通信端末との通信が可能である。
【００１５】
まず、中継装置１０について説明する。中継装置１０は、例えば、モバイルルータ等であり、通信端末２０と、例えば、ＬＴＥ又は３Ｇネットワーク等のモバイルネットワーク（移動通信ネットワーク）３０と、の間の通信を中継するための装置である。中継装置１０は、加入者識別カード装着部１１と、通信部１２と、端末情報記憶部１３と、ロック解除部１４と、を備える。
【００１６】
加入者識別カード装着部１１は、後述する加入者識別カード１１ａを装着するカードスロット等の装着手段である。後述する加入者識別カード１１ａを加入者識別カード装着部１１に装着することで、中継装置１０は、加入者識別カードに設定されている情報を読み込むことが可能となる。
【００１７】
加入者識別カード１１ａは、例えば、ＳＩＭ（Subscriber Identity Module）カード、ＵＩＭカード等の加入者識別カードである。加入者識別カード１１ａは、加入者識別カード装着部１１に挿抜が可能である。例えば、ＬＴＥ又は３Ｇ等のモバイルネットワークと通信を希望する利用者は、加入者識別カード１１ａを中継装置１０の加入者識別カード装着部１１に挿入し（装着し）、加入者識別カード１１ａに予め設定された情報を中継装置１０が読み込むことにより通信が可能となる。また、加入者識別カード１１ａには、例えば、ＩＭＳＩと呼ばれる加入者毎に割り当てられる番号が付与されており、これと電話番号を結びつけることにより通信を可能とする。中継装置１０が加入者識別カード１１ａに予め設定される情報を読み込むための認証機能として、例えば、ＰＩＮコード等の個人認証コードによる認証がある。ＰＩＮコードによる認証機能は、加入者識別カード１１ａに予め設定されたＰＩＮコードと呼ばれる個人認証コードを利用者が入力し、利用者が入力したＰＩＮコードと、加入者識別カード１１ａに予め設定されたＰＩＮコードと、が一致した場合に、認証を正常に完了するという機能である。この認証は、加入者識別カード１１ａに予め設定される個人認証コードが入力されないと、加入者識別カード１１ａに設定される情報を読み込むことが出来ないことから、個人認証コードによるロック機能とも言える。なお、以降の記載では、加入者識別カード１１ａはＵＩＭカードとして記載をし、個人認証コードをＰＩＮコードとして記載をする。しかしながら、加入者識別カードはＵＩＭカードに限られず、個人認証コードはＰＩＮコードに限られない。
【００１８】
通信部１２は、後述する通信端末２０と、後述するモバイルネットワーク３０との通信を行う。通信部１２は、後述する通信端末２０と接続設定を行うことにより、通信端末２０との通信を可能とする。通信部１２が通信端末２０と行う接続設定は、例えば、通信端末２０と中継装置１０とが無線ＬＡＮ（Local Area Network）等の無線通信を行う場合、中継装置１０のＳＳＩＤ（Service Set Identifier）や、セキュリティの設定が該当する。なお、通信端末２０と中継装置１０との通信は無線ＬＡＮによる無線通信だけでなく、他の通信方式による無線通信であってもよく、有線通信であってもよい。
また、通信部１２は、通信端末２０の利用者が登録するＵＩＭカード１１ａの認証に用いるＰＩＮコードと、通信端末２０の利用者が登録する通信端末２０のＭＡＣ（Media Access Control）アドレス（識別情報）と、を受信し、後述する端末管理データベース１３ａに受信したＰＩＮコードと受信したＭＡＣアドレスとを関連付けて登録する。そして、通信部１２は、通信端末２０から送信される通信フレームを監視し、通信端末２０のＭＡＣアドレスを取得する。
【００１９】
また、通信部１２は、ＵＩＭカード１１ａのＰＩＮコードによるロックを解除し、認証を完了させることで、後述するモバイルネットワーク３０との通信を可能とする。通信部１２は、通信端末２０とモバイルネットワーク３０との通信が可能になった後は、通信端末２０からの通信フレーム（通信パケット）をモバイルネットワーク３０に中継する。
【００２０】
端末情報記憶部１３は、端末管理データベース１３ａを記憶し、通信端末２０の利用者が登録する情報を保存する。端末管理データベース１３ａは、後述する通信端末２０の利用者が登録するＵＩＭカード１１ａの認証に用いるＰＩＮコードと、通信端末２０の利用者が登録する通信端末２０のＭＡＣアドレス（識別情報）と、を関連付けて記憶するデータベースである。
【００２１】
ロック解除部１４は、通信部１２が取得した通信端末２０のＭＡＣアドレスと、端末管理データベース１３ａに登録されたＭＡＣアドレスと、を比較する。ロック解除部１４は、通信部１２が取得した通信端末２０のＭＡＣアドレスと、端末管理データベース１３ａに登録されたＭＡＣアドレスと、が一致する場合、端末管理データベース１３ａから通信端末２０のＭＡＣアドレスと関連付けて登録されるＰＩＮコードを取得し、ＵＩＭカード１１ａのＰＩＮコードによるロックを解除し、ＵＩＭカード１１ａとの認証を完了させる。その結果、中継装置１０は、移動通信ネットワークに接続可能となる。
【００２２】
次に、通信端末２０について説明する。通信端末２０は、携帯電話機、スマートフォン、タブレット端末等の携帯型端末装置である。しかしながら、これに限られず、例えば、ノートＰＣであっても良い。
通信端末２０は、中継装置１０と接続設定を行うことで、中継装置１０との通信を可能とする。例えば、通信端末２０と中継装置１０とが無線ＬＡＮ等の無線通信を行う場合、中継装置１０のＳＳＩＤや、セキュリティの設定が該当する。なお、通信端末２０と中継装置１０との通信は無線ＬＡＮによる無線通信だけでなく、他の通信方式による無線通信であってもよく、有線通信であってもよい。
通信端末２０は、通信端末２０の利用者が登録するＵＩＭカード１１ａの認証に用いるＰＩＮコードと、通信端末２０の利用者が登録する通信端末２０のＭＡＣ（Media Access Control）アドレス（識別情報）と、を送信する。
【００２３】
モバイルネットワーク３０は、例えば、ＬＴＥ又は３Ｇネットワーク等の通信事業者が提供する移動通信ネットワークである。ここでは、例示的にＬＴＥ又は３Ｇネットワークとして記載をしたが、通信方式はこれに限られず、将来的に実現される通信方式であってもよい。
【００２４】
続いて、実施の形態１にかかる通信システム１の動作について説明する。図２は、本実施の形態にかかる通信システム１の動作を表す概略図である。
まず、通信端末２０は、中継装置１０と接続設定を行う（ステップＳ１）。具体的には、通信端末２０は、中継装置１０との接続設定に必要な情報を送信することに加えて、通信端末２０の利用者が登録するＵＩＭカード１１ａの認証に用いるＰＩＮコードと、通信端末２０の利用者が登録する通信端末２０のＭＡＣアドレスと、を送信し、通信部１２がこれらの情報を受信する。通信部１２は、通信端末２０から受信した接続設定に必要な情報を用いて接続設定を行う。
【００２５】
次に、中継装置１０は、受信したＰＩＮコードと、受信したＭＡＣアドレスと、を関連付けて登録する（ステップＳ２）。具体的には、通信部１２は、受信した通信端末２０の利用者が登録するＵＩＭカード１１ａの認証に用いるＰＩＮコードと、受信した通信端末２０の利用者が登録する通信端末２０のＭＡＣアドレスと、を関連付けて、端末管理データベース１３ａに登録する。
【００２６】
次に、通信端末２０から中継装置１０に送信される通信フレームを監視する（ステップＳ３）。具体的には、通信端末２０と通信部１２との間で接続設定が完了すると、通信端末２０は通信部１２との通信を行うために通信フレームを送信する。通信部１２は、通信端末２０から送信される通信フレームを受信し、受信した通信フレームを監視する。そして、通信部１２は、受信した通信フレームから通信端末２０のＭＡＣアドレスを取得する。
【００２７】
次に、中継装置１０は、取得した通信端末２０のＭＡＣアドレスと端末管理データベース１３ａに登録されたＭＡＣアドレスとが一致するか判定する（ステップＳ４）。具体的には、ロック解除部１４は、通信部１２が取得した通信端末２０のＭＡＣアドレスと、端末管理データベース１３ａに登録されたＭＡＣアドレスと、が一致するかを判定する。通信部１２が取得した通信端末２０のＭＡＣアドレスと、端末管理データベース１３ａに登録されたＭＡＣアドレスとが一致する場合、ステップＳ５を実行する。一方、通信部１２が取得した通信端末２０のＭＡＣアドレスと、端末管理データベース１３ａに登録されたＭＡＣアドレスとが一致しない場合終了する。
【００２８】
次に、中継装置１０は、端末管理データベース１３ａから通信端末２０のＭＡＣアドレスに関連付けて登録されたＰＩＮコードを取得し、ＵＩＭカード１１ａのＰＩＮコードを解除する（ステップＳ５）。具体的には、ロック解除部１４は、端末管理データベース１３ａより、通信端末２０のＭＡＣアドレスと関連付けて登録されたＰＩＮコードを取得する。ロック解除部１４は、取得したＰＩＮコードを用いて、ＵＩＭカード１１ａのＰＩＮコードのロックを解除し、認証を完了させる。その後、中継装置１０は、移動通信ネットワークに接続可能となる。
【００２９】
このように、実施の形態１にかかる通信システム１によれば、中継装置１０は、通信を許可する通信端末２０のＭＡＣアドレスとＵＩＭカード１１ａの認証で用いるＰＩＮコードとを関連付けて登録する。そして、中継装置１０は、通信端末２０から受信する通信フレームから、登録された通信端末であるかを判定し、登録された通信端末である場合、登録されたＰＩＮコードにより、ＵＩＭカード１１ａのＰＩＮコードのロックを解除し、認証を完了させる。そのため、通信端末２０の利用者は、ＵＩＭカード１１ａのＰＩＮコードを入力することなく、ＵＩＭカード１１ａのＰＩＮコードのロックを解除することが出来るため、ユーザの負担を軽減することが可能となる。
【００３０】
また、実施の形態１にかかる通信システム１によれば、中継装置１０の電源を入れた後、中継装置１０が起動し終わるまでの起動時間が短くすることができる。例えば、ＵＩＭカードのＰＩＮコードによる認証に関連する技術として、特許文献１に開示された関連する技術がある。この技術は、通信端末（本実施の形態では中継装置１０に該当）の電源を入れた後、ＵＩＭカードに予め設定されるＩＭＳＩが、当該ＵＩＭカードを挿入された通信端末（本実施の形態では中継装置１０に該当）が保持しているＩＭＳＩと一致している場合、ＰＩＮコードを入力することなく、ＵＩＭカードとのＰＩＮコードによるロックを解除し認証を完了させる技術である。関連する技術を用いることで、例えば、モバイルルータ等の中継装置１０では、電源を入れる頻度が高いことから、利用者が電源を入れる毎に、ＰＩＮコードを入力することなくＵＩＭカードの認証を可能とする。しかし、例えば、モバイルルータ等の中継装置１０では、電源を入れた後、実際に通信を行わない場合も想定される。関連する技術を用いると、このような場合でも、ＵＩＭカードのＰＩＮコードの認証を行うことから、通信端末（本実施の形態では中継装置１０に該当）の起動時間がかかってしまうことになる。一方、実施の形態１にかかる通信システム１によれば、中継装置１０の電源を入れた後、ＵＩＭカード１１ａのＰＩＮコードの認証を行わずに起動することから、中継装置１０の電源を入れた後、中継装置１０が起動し終わるまでの起動時間が短くすることができる。さらに、中継装置１０は、実際に、通信端末２０とモバイルネットワーク３０との通信を行うときにのみ、ＵＩＭカード１１ａのＰＩＮコードのロックを解除し、認証を完了させることが可能となる。言い替えると、必要時のみＵＩＭカード１１ａのＰＩＮコードのロックを解除し、認証を完了させることが可能となる。
【００３１】
（実施の形態２）
本発明の実施の形態２にかかる通信システム１について説明する。実施の形態２にかかる通信システム１は、実施の形態１にかかる通信システム１の具体的な構成である。本実施の形態にかかる通信システム１の構成図を図３に示す。なお、実施の形態１にかかる通信システム１と同じ構成については同じ符号を付与して、適宜説明を割愛する。
【００３２】
実施の形態２にかかる通信システム１は、実施の形態１と同様に、中継装置１０と、通信端末２０と、モバイルネットワーク３０と、を備える。
【００３３】
まず、中継装置１０について説明する。中継装置１０は、実施の形態１の構成である加入者識別カード装着部１１、通信部１２、端末情報記憶部１３、ロック解除部１４に加えて、ＷＥＢ設定部１５をさらに備える。
加入者識別カード装着部１１は、実施の形態１の構成と同様であるため説明を割愛する。
【００３４】
通信部１２は、実施の形態１における通信部１２と対応する。通信部１２は、端末通信部１２０と、移動網通信部１２１と、通信制御部１２２と、情報登録部１２３と、を備える。
端末通信部１２０は、通信端末２０と接続設定を行うことにより、通信端末２０との通信を可能とする。端末通信部１２０は、後述するＷＥＢ設定部１５が提供するＷＥＢ設定ページ１００を通信端末２０に送信し、通信端末２０の利用者がＷＥＢ設定ページ１００において登録した情報を受信する。ＷＥＢ設定ページ１００で登録した情報は、具体的には、通信端末２０の利用者が登録するＵＩＭカード１１ａの認証に用いるＰＩＮコードおよび通信端末２０の利用者が登録する通信端末２０のＭＡＣアドレスである。本実施の形態では、まず、ＰＩＮコードを受信し、その後、ＭＡＣアドレスを受信する例で記載するが、ＰＩＮコードおよびＭＡＣアドレスは同時に受信してもよく、逆の順番で受信されてもよい。
【００３５】
移動網通信部１２１は、ＵＩＭカード１１ａのＰＩＮコードによるロックを解除し、認証を完了させることで、モバイルネットワーク３０との通信を可能とする。移動網通信部１２１は、通信端末２０とモバイルネットワーク３０との通信が可能になった後は、通信端末２０からの通信フレーム（通信パケット）を、後述するパケット中継部１２２ｂが中継し、移動網通信部１２１を介して、モバイルネットワーク３０に中継する。
【００３６】
通信制御部１２２は、通信端末２０からの通信フレームを解析し、通信端末２０からの通信フレーム（通信パケット）をモバイルネットワーク３０に中継する。通信制御部１２２は、フレーム解析部１２２ａと、パケット中継部１２２ｂと、を備える。
【００３７】
フレーム解析部１２２ａは、端末通信部１２０が受信した通信フレームを解析して、送信元の通信端末２０のＭＡＣアドレスを取得する。取得したＭＡＣアドレスは、後述するロック解除部１４に送信される。
パケット中継部１２２ｂは、通信端末２０からの通信フレーム（通信パケット）を端末通信部１２０で受信し、受信した通信フレーム（通信パケット）を移動網通信部１２１に中継する。つまり、通信端末２０から送信された通信フレーム（通信パケット）をモバイルネットワーク３０に中継する。
【００３８】
情報登録部１２３は、端末通信部１２０が受信した、通信端末２０の利用者が登録するＵＩＭカード１１ａの認証に用いるＰＩＮコードと、通信端末２０の利用者が登録する通信端末２０のＭＡＣアドレスと、を端末管理データベース１３ａに登録する。情報登録部１２３は、まず、通信端末２０の利用者が設定したＰＩＮコードを端末管理データベース１３ａに登録する。そして、情報登録部１２３は、通信端末２０の利用者が設定したＭＡＣアドレスを端末管理データベース１３ａに登録する。情報登録部１２３は、当該ＭＡＣアドレスを登録する前に、登録したＰＩＮコードとＵＩＭカード１１ａに予め設定されるＰＩＮコードとが一致するかを判定する。登録したＰＩＮコードとＵＩＭカード１１ａに予め設定されるＰＩＮコードとが一致する場合、情報登録部１２３は、通信端末２０の利用者が設定したＭＡＣアドレスを、登録したＰＩＮコードと関連付けて端末管理データベース１３ａに登録する。
【００３９】
端末情報記憶部１３は、実施の形態１の構成と同様であるため説明を割愛する。
ロック解除部１４は、実施の形態１におけるロック解除部１４と対応する。ロック解除部１４は、ＵＩＭカード１１ａに予め設定されるＰＩＮコードによるロックを解除し、認証を完了させる。ロック解除部１４は、ＭＡＣアドレス比較部１４０と、ＰＩＮコード制御部１４１と、を備える。
【００４０】
ＭＡＣアドレス比較部１４０は、フレーム解析部１２２ａが取得したＭＡＣアドレスを受信する。受信したＭＡＣアドレスを用いて、送信元の通信端末２０が、中継装置１０との接続を許可された通信端末であるかを判定する。具体的には、受信したＭＡＣアドレスと一致するＭＡＣアドレスが端末管理データベース１３ａに登録されているかにより判定を行う。端末管理データベース１３ａに、受信したＭＡＣアドレスが登録されている場合、当該ＭＡＣアドレスが設定されている通信端末２０は、中継装置１０に接続を許可された通信端末であると判定する。一方、受信したＭＡＣアでレスが登録されていない場合、当該ＭＡＣアドレスが設定されている通信端末２０は、中継装置１０に接続を許可されていない通信端末であると判定する。
【００４１】
ＰＩＮコード制御部１４１は、端末管理データベース１３ａに登録されたＰＩＮコードを用いて、ＵＩＭカード１１ａのＰＩＮコードによるロックを解除し、認証を完了させる。ＵＩＭカード１１ａのＰＩＮコードによるロックが解除されると、中継装置１０はモバイルネットワーク３０との通信が可能となるため、通信端末２０は中継装置１０を介して、モバイルネットワーク３０との通信が可能となる。
【００４２】
ＷＥＢ設定部１５は、後述するＷＥＢ設定ページ１００を記憶し、端末通信部１２０が通信端末２０より接続設定を受信すると、端末通信部１２０を介して、後述するＷＥＢ設定ページ１００を通信端末２０に送信する。
【００４３】
図４を用いてＷＥＢ設定ページ１００について説明する。図４は、ＷＥＢ設定ページ１００を表す概略図である。ＷＥＢ設定ページ１００は、ＷＥＢ設定部１５が記憶し、通信端末２０の利用者が、ＵＩＭカード１１ａの認証に用いるＰＩＮコードおよび通信端末２０のＭＡＣアドレスを登録するためのＷＥＢ設定ページである。通信端末２０の利用者は、通信部２１を介して、ＷＥＢ設定部１５が提供するＷＥＢ設定ページ１００を受信し、上記情報を設定する。
ＷＥＢ設定ページ１００は、タイトル１０１、ラベル１０２、ラベル１０３、入力領域１０４、入力領域１０５、設定ボタン１０６を備える。タイトル１０１は、ＷＥＢ設定ページのタイトルを表示する領域であり、「接続を許可するＭＡＣアドレスエントリ」を表示する。ラベル１０２は、「ＭＡＣアドレス」を表示し、ラベル１０２の右の入力領域１０４が「ＭＡＣアドレス」を入力する領域であることを表すラベルである。ラベル１０３は、「ＰＩＮコード」を表示し、ラベル１０３の右の入力領域１０５が「ＰＩＮコード」を入力する領域であることを表すラベルである。入力領域１０４は、中継装置１０との通信を可能とする通信端末２０のＭＡＣアドレスを入力する領域である。入力領域１０５は、ＵＩＭカード１１ａとの認証に用いるＰＩＮコードを入力する領域である。設定ボタン１０６は、通信端末２０の利用者が「ＭＡＣアドレス」および「ＰＩＮコード」を入力後、入力した情報を登録する際に押下するボタンである。設定ボタン１０６を押下すると、通信端末２０の利用者が入力した「ＭＡＣアドレス」および「ＰＩＮコード」が、通信端末２０より送信される。通信端末２０から送信された情報は、端末通信部１２０が受信し、情報登録部１２３が端末管理データベース１３ａに登録する。
【００４４】
続いて、通信端末２０について説明する。通信端末２０は、通信部２１と、表示部２２と、入力部２３と、を備える。
通信部２１は、中継装置１０の端末通信部１２０と通信を行う。また、通信部２１は、端末通信部１２０および移動網通信部１２１を介して、モバイルネットワーク３０と通信が可能である。通信部２１は、端末通信部１２０と接続設定を行うと、ＷＥＢ設定ページ１００を受信する。そして、通信部２１は、通信端末２０の利用者がＷＥＢ設定ページ１００において設定する情報を中継装置１０に送信する。
【００４５】
表示部２２は、例えば、スマートフォン、携帯電話、ノートＰＣなどのディスプレイであり、通信部２１が受信したＷＥＢ設定ページ１００を通信端末２０の利用者に表示する。
入力部２３は、表示部２２が表示したＷＥＢ設定ページ１００において、情報を入力するためのタッチパネル等の入力手段である。通信端末２０の利用者は、ＷＥＢ設定ページ１００において、通信端末２０のＭＡＣアドレスと、ＵＩＭカード１１ａの認証で用いるＰＩＮコードを入力し、設定ボタン１０６を押下することで入力を完了させる。
モバイルネットワーク３０は、実施の形態１と同様であるため、説明を割愛する。
【００４６】
続いて、本実施の形態にかかる通信システムの動作について説明する。図５は、本実施の形態にかかる通信システム１における通信端末２０のＭＡＣアドレスを登録する際のシーケンス図である。
【００４７】
まず、通信端末２０と中継装置１０との間で、接続設定を行う（ステップＳ１１）。具体的には、通信部２１は、通信端末２０と中継装置１０との接続設定を行う。
次に、中継装置１０はＷＥＢ設定ページ１００を表示し、通信端末２０の利用者は、ＵＩＭカード１１ａのＰＩＮコードおよび通信端末２０のＭＡＣアドレスを入力する（ステップＳ１２）。具体的には、端末通信部１２０が通信端末２０からの接続設定を受信すると、ＷＥＢ設定部１５は、ＷＥＢ設定ページ１００を、端末通信部１２０を介して通信端末２０に送信する。ＷＥＢ設定ページ１００を通信部２１が受信すると、表示部２２は、ＷＥＢ設定ページ１００を通信端末２０の利用者に表示する。通信端末２０の利用者は、入力部２３を用いて、ＷＥＢ設定ページ１００において、通信端末２０のＭＡＣアドレスと、ＵＩＭカード１１ａの認証を行う際に使用するＰＩＮコードと、を入力して、設定ボタン１０６を押下する。
【００４８】
次に、通信端末２０は、通信端末２０の利用者が入力したＵＩＭカード１１ａの認証に用いるＰＩＮコードを送信し（ステップＳ１３）、中継装置１０は、受信したＰＩＮコードを登録する（ステップＳ１４）。具体的には、通信端末２０の利用者が、表示されたＷＥＢ設定ページ１００において、通信端末２０のＭＡＣアドレスと、ＵＩＭカード１１ａの認証を行う際に使用するＰＩＮコードと、を入力して、設定ボタン１０６を押下する。そうすると、まず、入力したＰＩＮコードが通信部２１から送信され、端末通信部１２０が受信する。端末通信部１２０は、通信端末２０の利用者が入力し設定したＰＩＮコードを受信すると、情報登録部１２３は、当該ＰＩＮコードを端末管理データベース１３ａに登録する。
【００４９】
次に、通信端末２０は、通信端末２０の利用者が入力した通信端末２０のＭＡＣアドレスを送信する（ステップＳ１５）。具体的には、通信端末２０の利用者が入力した通信端末２０のＭＡＣアドレスが通信部２１より送信され、端末通信部１２０が受信する。
【００５０】
次に、中継装置１０は、端末管理データベース１３ａに登録したＰＩＮコードとＵＩＭカード１１ａに予め設定されたＰＩＮコードとが一致するか判定する（ステップＳ１６）。具体的には、情報登録部１２３は、通信端末２０の利用者が入力したＰＩＮコードと、ＵＩＭカード１１ａに予め設定されたＰＩＮコードと、を比較する。通信端末２０の利用者が入力したＰＩＮコードと、ＵＩＭカード１１ａに予め設定されたＰＩＮコードと、が一致する場合、次のステップＳ１７に進む。一方、通信端末２０の利用者が入力したＰＩＮコードと、ＵＩＭカード１１ａに予め設定されたＰＩＮコードと、が一致しない場合、情報登録部１２３は、登録失敗として処理を終了する。なお、登録失敗として処理を終了する場合、情報登録部１２３は、既に登録したＰＩＮコードを端末管理データベース１３ａから削除する。
【００５１】
次に、中継装置１０は、受信した通信端末２０のＭＡＣアドレスを登録する（ステップＳ１７）。具体的には、情報登録部１２３は、受信した通信端末２０のＭＡＣアドレスを、ステップＳ１４で登録したＰＩＮコードに関連付けて端末管理データベース１３ａに登録する。
【００５２】
ここで、ＰＩＮコードは、通信端末２０の利用者が、通信端末２０のＭＡＣアドレスを登録する毎に入力する情報である。そうすることで、入力されたＰＩＮコードとＵＩＭカード１１ａに予め設定されたＰＩＮコードとが一致した場合にのみ、通信端末２０を中継装置１０が接続を許可する通信端末として登録する。したがって、ＵＩＭカード１１ａに予め設定されたＰＩＮコードを知らない第三者が、中継装置１０が接続を許可する通信端末を登録することを防ぐことができる。
【００５３】
なお、上記例では、通信端末２０の利用者が入力した通信端末２０のＭＡＣアドレスは、通信端末２０の利用者が入力したＵＩＭカード１１ａの認証に用いるＰＩＮコードを登録した後に送信されることで記載をしたが、上記２つの情報は同時に送信されてもよい。この場合、情報登録部１２３が２つの情報を保持し、通信端末２０の利用者が入力したＵＩＭカード１１ａの認証に用いるＰＩＮコードを登録した後、通信端末２０の利用者が入力した通信端末２０のＭＡＣアドレスを登録してもよい。
【００５４】
次に、ＵＩＭカード１１ａに予め設定されたＰＩＮコードを解除する動作について説明する。図６は、ＵＩＭカード１１ａに予め設定されたＰＩＮコードを解除する動作のシーケンス図である。
なお、中継装置１０には、既に通信端末２０のＭＡＣアドレスと、ＵＩＭカード１１ａの認証に用いるＰＩＮコードと、が関連付けて端末管理データベース１３ａに登録されているものとして記載をする。
【００５５】
まず、中継装置１０の電源を入れる（ステップＳ２１）。この際、ＵＩＭカード１１ａがＰＩＮコードによるロックが設定されている場合、中継装置１０が起動する際、ＵＩＭカード１１ａをＰＩＮコードによるロックがされた状態で起動する。
次に、通信端末２０と中継装置１０との間で接続設定を行う（ステップＳ２２）。中継装置１０の起動が完了した後、中継装置１０と接続設定がされている通信端末２０は、中継装置１０と接続するための処理を行う。
【００５６】
次に、中継装置１０は、通信端末２０から送信される接続設定用の通信フレームを監視し、ＭＡＣアドレスを取得する（ステップＳ２３）。具体的には、端末通信部１２０が通信端末２０からの接続設定用の通信フレームを受信する。フレーム解析部１２２ａは、端末通信部１２０が受信した通信フレームを解析し、ＭＡＣアドレスを取得する。
【００５７】
より具体的に説明すると、例えば、中継装置１０と通信端末２０とが無線ＬＡＮによる無線通信を行う場合、接続設定用の通信フレームはＰｒｏｂｅ  Ｒｅｑｕｅｓｔである。図７は、通信端末２０と中継装置１０とが無線ＬＡＮによる通信を行う場合の通信フレームの一例であり、接続設定用の通信フレームであるＰｒｏｂｅ  Ｒｅｑｕｅｓｔの通信フレームの一例である。図７に示す様に、接続設定用の通信フレームは、Ｄｅｓｔｉｎａｔｉｏｎ  ａｄｄｒｅｓｓ２０１と、Ｓｏｕｒｃｅ  ａｄｄｒｅｓｓ２０２と、ＳＳＩＤ２０３とを含む。この場合、フレーム解析部１２２ａは、Ｐｒｏｂｅ  Ｒｅｑｕｅｓｔの通信フレームを解析し、ＳＳＩＤ２０３が中継装置１０のＳＳＩＤと一致する通信フレームの中からＳｏｕｒｃｅ  ａｄｄｒｅｓｓ２０２に設定されたＭＡＣアドレスを取得する。
なお、上記では、中継装置１０と通信端末２０とが無線ＬＡＮによる無線通信を行う場合を例として記載をしたが、中継装置１０と通信端末２０とは他の通信方式の無線通信であってもよく、有線通信であってもよい。
【００５８】
次に、中継装置１０は、取得したＭＡＣアドレスが登録されたＭＡＣアドレスであるかを判定する（ステップＳ２４）。具体的には、ＭＡＣアドレス比較部１４０は、フレーム解析部１２２ａが取得したＭＡＣアドレスと一致するＭＡＣアドレスを、端末管理データベース１３ａから検索する。ＭＡＣアドレス比較部１４０は、取得したＭＡＣアドレスが端末管理データベース１３ａに登録されたＭＡＣアドレスであると判定すると、次のステップＳ２５に進む。一方、取得したＭＡＣアドレスが端末管理データベース１３ａに登録されたＭＡＣアドレスではない場合、処理を終了する。
【００５９】
次に、中継装置１０は、ＵＩＭカード１１ａのＰＩＮコードを解除し、認証を完了させる（ステップＳ２５）。具体的には、ＰＩＮコード制御部１４１は、ステップＳ２４で判定したＭＡＣアドレスと関連付けて登録されるＰＩＮコードを端末管理データベース１３ａから取得する。そして、取得したＰＩＮコードを用いて、ＵＩＭカード１１ａのＰＩＮコードを解除する。ここで、情報登録部１２３は、端末管理データベース１３ａにＭＡＣアドレスを登録する際、登録されたＰＩＮコードがＵＩＭカード１１ａに予め設定されたＰＩＮコードと一致するかを判定している。そのため、端末管理データベース１３ａに登録されたＰＩＮコードはＵＩＭカード１１ａに予め設定されるＰＩＮコードと一致している。したがって、ＰＩＮコード制御部１４１が取得したＰＩＮコードを用いることで、ＵＩＭカード１１ａのＰＩＮコードによるロックを解除し、認証を完了させることが出来る。
【００６０】
次に、中継装置１０は、通信端末２０とモバイルネットワーク３０との間の通信を中継する（ステップＳ２６）。具体的には、ＰＩＮコード制御部１４１が、ＵＩＭカード１１ａのＰＩＮコードによるロックを解除し認証を完了させると、パケット中継部１２２ｂは、通信端末２０からモバイルネットワーク３０に向けて送信される通信パケットを中継し、通信端末２０とモバイルネットワーク３０との通信を可能とする。
【００６１】
実施の形態２にかかる通信システム１によれば、実施の形態１と同様に、通信端末２０の利用者は、ＵＩＭカード１１ａのＰＩＮコードを入力することなく、ＵＩＭカード１１ａのＰＩＮコードのロックを解除することが出来る。そのため、ユーザの負担を軽減することが可能となり、利用コスト（手間）を軽減することができる。
【００６２】
また、実施の形態１にかかる通信システム１によれば、実施の形態１と同様に、中継装置１０の電源を入れた後、中継装置１０が起動し終わるまでの起動時間が短くすることができる。さらに、中継装置１０は、実際に、通信端末２０とモバイルネットワーク３０との通信を行うときにのみ、ＵＩＭカード１１ａのＰＩＮコードのロックを解除し、認証を完了させることが可能となる。言い替えると、必要時のみＵＩＭカード１１ａのＰＩＮコードのロックを解除し、認証を完了させることが可能となる。
【００６３】
さらに、実施の形態２にかかる通信システム１によれば、中継装置１０は、端末管理データベース１３ａに登録したＰＩＮコードを用いて、ＵＩＭカード１１ａのＰＩＮコードのロックを解除することから、通信端末２０の利用者がＰＩＮコードを入力する機会を少なくすることが出来る。その結果、通信端末２０の利用者が誤ったＰＩＮコードを入力し続けることによって生じるＵＩＭカード１１ａの使用制限ロックの状態に陥ることを事前に回避することが出来る。したがって、ＵＩＭカード１１ａの使用制限ロックの状態からの復旧にかかるユーザの利用コスト（手間）を軽減することが可能となり、ユーザの負担を事前に軽減することが可能となる。
【００６４】
（他の実施の形態）
実施の形態２において、ＵＩＭカード１１ａのＰＩＮコードによるロックを解除する契機は、中継装置１０が、通信端末２０から接続設定用の通信フレームを受信するものとして記載をしたが、ＰＩＮコードによるロックを解除する契機はこれに限られない。
【００６５】
例えば、中継装置１０および通信端末２０がＢｌｕｅｔｏｏｔｈ（登録商標）機能を有しており、中継装置１０と通信端末２０とが予めペアリングを行っているとする。そして、通信端末２０が、中継装置１０に接続設定を行う場合であってもよい。
【００６６】
さらに、中継装置１０を宅外に持ち出して使用し、その後、再度宅内に移動させた場合、宅内の無線ＬＡＮ装置である例えばノートパソコンなどの通信端末２０を検出し、通信端末２０が中継装置１０に接続設定を行う場合であってもよい。
【００６７】
また、実施の形態２において、フレーム解析部１２２ａが監視する通信フレームは、例えば、Ｐｒｏｂｅ  Ｒｅｑｕｅｓｔなどの接続設定用の通信フレームとしたが、通信端末２０と中継装置１０との間の通信で用いられる他の通信フレームであってもよい。
【００６８】
さらに、実施の形態１および実施の形態２において、中継装置１０の加入者識別カード装着部１１に装着するＵＩＭカード１１ａは１つであることとして記載をした。しかし、中継装置１０に装着するＵＩＭカード１１ａの数は１つに限られず、中継装置１０は、複数のＵＩＭカード１１ａを装着可能であってもよい。この場合、端末管理データベース１３ａには、ＵＩＭカード１１ａのＰＩＮコード、通信端末２０のＭＡＣアドレスの他に、ＵＩＭカードを識別する情報をさらに関連付けて登録し、ＰＩＮコードのロックを解除するＵＩＭカードを指定することにより実現してもよい。
【００６９】
また、実施の形態１および実施の形態２において、ＵＩＭカード１１ａのＰＩＮコードによるロックを解除することで記載をしているが、例えば、特定の通信端末から接続設定がされた場合に、ＰＩＮコードによるロックを解除しないようにすることでもよい。この場合、例えば、中継装置１０を管理する管理者が、接続を許可しない通信端末のＭＡＣアドレスを登録しておき、当該ＭＡＣアドレスである通信端末から接続された場合に接続を拒否することにより実現してもよい。
【００７０】
さらに、実施の形態１および実施の形態２において、ＵＩＭカード１１ａのＰＩＮコードの認証として記載をしたが、類似する機能に応用してもよい。例えば、中継装置１０を利用する利用者が、中継装置１０を通常設定されている宅内から宅外に移動させたとする。宅外で中継装置１０を用いる場合に、例えば、アクセス制限のフィルタリング機能をＯＦＦにする場合や、ＵＰｎＰ（Universal Plug and Play）をＯＦＦにする場合も想定し得る。その後、中継装置１０を宅内に移動させて、宅内のＬＡＮに接続する際、当該機能をＯＮに変更する自動設定をしておき、予め登録した設定変更時に使用するＩＤ（Identity）やパスワードを端末管理データベース１３ａから取得し、設定を自動で変更してもよい。
【００７１】
上記実施の形態における各構成は、ハードウェア又はソフトウェア、もしくはその両方によって構成されてもよい。例えば、上記実施の形態における各処理を、ＣＰＵ（Central Processing Unit）にコンピュータプログラムを実行させることにより実現することも可能である。
【００７２】
上記の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
なお、本発明は上記実施の形態に限られたものではなく、趣旨を逸脱しない範囲で適宜変更することが可能である。
【符号の説明】
【００７４】
１  通信システム
１０  中継装置
１１  加入者識別カード装着部
１１ａ  加入者識別カード（ＵＩＭカード）
１２  通信部
１３  端末情報記憶部
１３ａ  端末管理データベース
１４  ロック解除部
１５  ＷＥＢ設定部
２０  通信端末
２１  通信部
２２  表示部
２３  入力部
３０  モバイルネットワーク
１００  ＷＥＢ設定ページ
１０１  タイトル
１０２  ラベル
１０３  ラベル
１０４  入力領域
１０５  入力領域
１０６  設定ボタン
１２０  端末通信部
１２１  移動網通信部
１２２  通信制御部
１２２ａ  フレーム解析部
１２２ｂ  パケット中継部
１２３  情報登録部
１４０  ＭＡＣアドレス比較部
１４１  ＰＩＮコード制御部
２０１  Ｄｅｓｔｉｎａｔｉｏｎ  ａｄｄｒｅｓｓ
２０２  Ｓｏｕｒｃｅ  ａｄｄｒｅｓｓ
２０３  ＳＳＩＤ
【図１】
2018074189.tif 000003
【図２】
2018074189.tif 000004
【図３】
2018074189.tif 000005
【図４】
2018074189.tif 000006
【図５】
2018074189.tif 000007
【図６】
2018074189.tif 000008
【図７】
2018074189.tif 000009